(57)【要約】【課題】  付加的な機能とともに装身具としての装飾性も備えた指輪を提供すること。【解決手段】  指に装着するためのリング状のアームの一部に台座が取り付けられた指輪において、  前記台座には、  押印用の印面とこの印面を開閉する蓋が設けられ、  前記蓋の一端には操作端部が形成されて他端は前記印面の外周の一部に回転可能に取り付けられ、  前記台座の印面外周には前記蓋を閉じた状態で前記蓋の操作端部が一時的に係合されて保持される突起状の係合部が設けられ、  前記蓋の上面には装身具としての装飾性を有するエンブレムが取り付けられていることを特徴とするもの。【選択図】図１
2019005522.tif 000002
【特許請求の範囲】
【請求項１】
指に装着するためのリング状のアームの一部に台座が取り付けられた指輪において、
前記台座には、
押印用の印面とこの印面を開閉する蓋が設けられ、
前記蓋の一端には操作端部が形成されて他端は前記印面の外周の一部に回転可能に取り付けられ、
前記台座の印面外周には前記蓋を閉じた状態で前記蓋の操作端部が一時的に係合されて保持される突起状の係合部が設けられ、
前記蓋の上面には装身具としての装飾性を有するエンブレムが取り付けられていることを特徴とする指輪。
【請求項２】
前記印面の下部には拡大ルーペの収納部が形成され、前記拡大ルーペは前記収納部の開口部の一端に設けられた回転軸を中心にして回転可能に取り付けられていることを特徴とする請求項１記載の指輪。
【請求項３】
前記収納部から引き出された前記拡大ルーペは、任意の回転位置で保持されることを特徴とする請求項２記載の指輪。
【請求項４】
前記印面と前記エンブレムの少なくともいずれかは、交換できることを特徴とする請求項１記載の指輪。
【発明の詳細な説明】
【技術分野】
【０００１】  本発明は、拡大観察用のルーペを組み込んだ指輪の改良に関するものである。
【背景技術】
【０００２】  屋内や野外において、対象物を観察するのにあたり、対象物の一部分を拡大して確認したいことがある。このような対象物の拡大観察にあたっては、拡大観察用のルーペを用いるのが一般的である。【０００３】  拡大観察用のルーペを日常的に使用している場合には、拡大観察用のルーペを常に携帯することが生活習慣になっているともいえる。【０００４】  これに対し、拡大観察用ルーペの使用が日常的ではない場合には、対象物を拡大観察したくなったとき、必要に応じて作業デスクの引き出しや道具棚などの所定の保管場所から拡大観察用のルーペを持ち出すことになる。【０００５】  ところが、拡大観察用のルーペを使おうとしても、ルーペが所定の保管場所に保管されていないことがある。この原因としては、拡大観察用のルーペを前回使用した後に所定の保管場所に戻すことを忘れて出しっぱなしになり紛失してしまったとか、所定の保管場所を間違えて保管したことなどが考えられる。【０００６】  これらの解決策として、拡大観察用のルーペを装身具としての指輪に組み込み一体化したものが提案されている。【０００７】  図３は特許文献１（特開２００６−３０５２７５）に記載されている指輪のアームの一例を示す斜視図である。図３において、石座として形成された台座１の一端には係止口２が設けられている。アームとして機能するリング片３の開放端部は広く開放されている。【０００８】  リング片３の一端は台座１の他端に第１の軸４を介して回転可能に設けられ、リング片３の他端は開放端として形成され、開放端近傍には取付口５が設けられている。【０００９】  係止部材６の一端はこのリング片３の取付口５に第２の軸７を介して回転可能に設けられ、他端は折り返し片８として第３の軸９を介して回転可能に折り返されている。この折り返し片８の端部近傍には、第２の軸７の部分に開閉可能に係り止めするための係止爪１０が設けられている。【００１０】  この係止部材６の折り返し片８は、台座１の係止口２の下側から挿入されて第２の軸部分に開閉可能に係り止めされる。第２の軸７部分に係り止めされた状態では、リング片３の内周面および外周面とほぼ等しい曲率面になるように形成されている。【００１１】  このように構成することにより、指輪を装着したい指の部分に一部分が広く開放されているリング片３を巻き付ける感覚で装着でき、取り外しは係止部材６の折り返し片８の係り止めを解除することにより簡単迅速に行える。【００１２】  そして、指輪を装着して係止部材６の折り返し片８を係り止めした状態では、係止部材６はリング片の内周面および外周面とほぼ等しい曲率面になるように形成されていることから指の全周がリング体６の内周と接触するので、安定した装着感が得られる。【００１３】  図４は特許文献１に記載されている指輪の他の例を示す構成説明図、図５は図４の組立構成説明図である。図４および図５において、台座１には、図示しない拡大レンズを固定支持するように円環状に形成されたルーペ支持部材１２を出し入れ可能な状態で収納する偏平な円筒状の収納部Ｃが設けられている。収納部Ｃの開口部の一端にはルーペ支持部材１２を回転可能に取り付けるための軸１１が設けられている。ルーペ支持部材１２は、軸１１を回転中心にして台座１と平行に回転させることにより出し入れできるように取り付けられる。【００１４】  ルーペ支持部材１２を軸１１に取り付けるのにあたっては、ルーペ支持部材１２の上部にスプリングワッシャ１３を重ね合わせている。スプリングワッシャ１３は、その弾性力でルーペ支持部材１２を軸１１に沿って常に下方向に押し付ける。これにより、ルーペ支持部材１２は、軸１１を回転中心にして任意の角度に回転させた状態で固定される。【００１５】  またルーペ支持部材１２には、ルーペ支持部材１２を収納部Ｃから引き出すためのつまみ１４が引き出し方向に折り返すように形成されるとともに、その端部１５の下面には台座１の底面に形成されている凹部１６に嵌め合うように凸部が設けられている。【００１６】  ルーペ支持部材１２は、ルーペを使用しない状態では矢印Ａの方向に回転させることにより台座１の収納部Ｃに収納される。ルーペ支持部材１２が収納部Ｃに収納された状態では、つまみ１４の端部１５下面に設けられている図示しない凸部が台座１の底面に形成されている凹部１６に嵌め合うことになり、前述のスプリングワッシャ１３の弾性力による軸１１に沿った下方向への押し付け力と相まって、ルーペ支持部材１２が不用意に回転して台座１の収納部Ｃから飛び出すことはない。【００１７】  ルーペを使用する場合には、つまみ１４の端部１５を矢印Ｂの方向に回転させて、つまみ１４の端部１５下面に設けられている凸部と台座１の底面に形成されている凹部１６との嵌め合いを解除し、ルーペ支持部材１２を台座１の収納部Ｃから任意の位置まで引き出す。ルーペ支持部材１２は、スプリングワッシャ１３の弾性力により、引き出された任意の位置で静止する。【００１８】  図６は、特許文献１に記載されている指輪の他の構成説明図である。図６において、台座１は偏平な有底円筒状に形成されていて、台座１の開口面には第５の軸１７を介して回転可能に開閉可能な蓋１８の一端が取り付けられている。蓋１８の他端の一部には台座１に設けられた係止用突起１９に嵌め合う係止用爪２０が形成されたつまみ２１が設けられている。【００１９】  これにより、台座１の上面には開閉可能な蓋１８を備えた偏平有底円筒状の収納部Ｄが構成されることになり、この収納部Ｄには必要に応じて写真や半導体によりチップ化された超小型の電子機器などの収納物を収納できる。
【先行技術文献】
【００２０】
【特許文献１】特開２００６−３０５２７５
【００２１】
【発明の概要】
【発明が解決しようとする課題】
【００２２】  しかし、これら従来の構成の指輪は、ルーペ支持部材１２や台座１の上面には収納部Ｄが設けられている点では機能的といえるものの、装身具である指輪としての装飾性に欠けるという課題がある。【００２３】  本発明は、このような問題に着目したものであり、その目的は、たとえば台座に引き出し可能に収納されたルーペや台座の上面に刻印された印面などの実用性を有する付加的な機能を設けるとともに、この印面を必要に応じて開閉するように設けられた蓋の上面には装身具としての装飾性を十分発揮するようにデザインされたエンブレムを取り付けることにより、本来の装身具としての装飾性も備えた指輪を提供することにある。
【課題を解決するための手段】
【００２４】  上記目的を達成する請求項１の発明は、
指に装着するためのリング状のアームの一部に台座が取り付けられた指輪において、
前記台座には、
押印用の印面とこの印面を開閉する蓋が設けられ、
前記蓋の一端には操作端部が形成されて他端は前記印面の外周の一部に回転可能に取り付けられ、
前記台座の印面外周には前記蓋を閉じた状態で前記蓋の操作端部が一時的に係合されて保持される突起状の係合部が設けられ、
前記蓋の上面には装身具としての装飾性を有するエンブレムが取り付けられていることを特徴とする。【００２５】  請求項２の発明は、請求項１記載の指輪において、
前記印面の下部には拡大ルーペの収納部が形成され、前記拡大ルーペは前記収納部の開口部の一端に設けられた回転軸を中心にして回転可能に取り付けられていることを特徴とする。【００２６】  請求項３の発明は、請求項２記載の指輪において、
前記収納部から引き出された前記拡大ルーペは、任意の回転位置で保持されることを特徴とする。【００２７】  請求項４の発明は、請求項１記載の指輪において、
前記印面と前記エンブレムの少なくともいずれかは、交換できることを特徴とする。
【発明の効果】
【００２８】  これらにより、たとえばルーペのような実用性を有する付加的な機能とともに、蓋の上面に設けられたエンブレムによる装身具としての装飾性も備えた指輪を提供することができる。【００２９】  さらに、エンブレム２７として、指輪を装着して使用する人の目的に合致したデザインを選択して取り付けることにより、指輪を装着して使用する人に固有の装飾性も備えた指輪を提供できる。
【図面の簡単な説明】
【００３０】
【図１】  本発明に係る指輪の一実施例を示す斜視図である。
【図２】  図１の動作状態説明図である。
【図３】  従来の指輪のアームの一例を示す構成説明図である。
【図４】  従来の指輪の他の例を示す構成説明図である。
【図５】  図４の組立構成説明図である。
【図６】  従来の指輪の他の例を示す構成説明図である。
【発明を実施するための形態】
【００３１】  以下、図面を参照し、本発明の実施形態例に基づいて、本発明を詳細に説明する。図１は本発明に係る指輪の一実施例を示す斜視図、図２は図１の動作状態説明図であって、図３から図６と共通する部分には同一の符号を付けている。
【００３２】  図１および図２において、台座１は、指に装着するためのリング片３よりなるリング状のアームの一部に取り付けられている。
【００３３】  台座１には、押印用に所望の書体で所望の文字記号類が刻印された印面２２と、この印面２２を必要に応じて開閉するための蓋２３が設けられている。
【００３４】  なお台座１の上面に固定配置されている所望の文字記号類が刻印された印面２２は、後日交換が必要になった場合には他の所望の文字記号類が刻印された印面と交換できる。
【００３５】  蓋２３の一端にはつまみとして機能する操作端部２４が形成されていて、蓋２３の他端は印面２２の外周の一部に軸２５を介して回転可能に取り付けられている。蓋２３は、印面２２を用いた押印作業が支障を生じることなく遂行できるように、印面２２と水平な開き角度１８０度よりもさらに大きな角度でアーム側に回転できるように構成されている。
【００３６】  台座１に設けられた印面２２の外周近傍には、蓋２３を閉じた状態で蓋２３の操作端部２４が係合されて蓋２３を閉じた状態が安定に保持されるように、突起状に形成された係合部２６が設けられている。
【００３７】  蓋２３の上面には、装身具としての装飾性を十分発揮するように意識してデザインされたエンブレム２７が取り付けられている。本実施例では、エンブレム２７として駆ける馬のデザインの例を示しているが、エンブレム２７のデザインはこれに限るものではなく、たとえば誕生月に由来する誕生花であってもよいし、誕生月に由来する１２星座に関連したデザインであってもよい。
【００３８】  このエンブレム２７も、たとえばエンブレム２７の表面に傷がついたときなど、後日交換が必要になった場合には交換できる。
【００３９】  台座１の印面２２の下部には、図４および図５に示した従来と同様な拡大ルーペを構成するルーペ支持部材１２の収納部２８が形成されている。ルーペ支持部材１２は、収納部２８の開口部の一端に設けられた回転軸１１を中心にして回転可能にスプリングワッシャを介して取り付けられている。
【００４０】  このように構成される本発明によれば、蓋２３の上面には、指輪を装着して使用する人の好みに基づくデザインや、指輪をプレゼントしようとする人の想いを込めたデザインなど、装身具としての装飾性が十分感じられることを意識してあらかじめ作成された複数種類のデザインの中から目的に合致したデザインのエンブレム２７を選択して取り付けることができるので、付加的な拡大ルーペの機能とともに、指輪を装着して使用する人に固有の装身具としての装飾性も備えた指輪を提供できる。
【００４１】  また、指輪を装着したい指の部分に一部分が広く開放されているリング片３を巻き付ける感覚で装着でき、取り外しにあたっては係止部材の係り止めを解除すればよく、簡単迅速に行える。
【００４２】  そして、指輪を装着してリング片３を係り止めした状態では、指の全周がリング片３と接触しているので、安定した装着感が得られる。
【００４３】  また、台座１の収納部２８に任意の回転角度で引き出し可能にルーペ支持部材１２が収納された指輪を装着することにより、いろいろな場面における対象物を拡大観察できたらおもしろいだろうなという知的好奇心を満たすことができる。
【００４４】  さらに、本発明に基づく指輪には拡大ルーペが組み込まれているので、単なるアクセサリとしての指輪の用途に限ることはなく、多様な産業分野における作業用の指輪としても好適である。
【符号の説明】
【００４５】  １  台座
２  係止口
３  リング片
４  軸
５  取付口
６  係止部材
７  軸
８  折り返し片
９  軸
１０  係止爪
１１  軸
１２  ルーペ支持部材
１３  スプリングワッシャ
１４  つまみ
１５  端部
１６  凹部
１７  軸
１８  蓋部材
１９  係止用突起
２０  係止用爪
２１  つまみ
２２  印面
２３  蓋
２４  操作端部
２５  軸
２６  係合部
２７  エンブレム
２８  収納部
【図１】
2019005522.tif 000003
【図２】
2019005522.tif 000004
【図３】
2019005522.tif 000005
【図４】
2019005522.tif 000006
【図５】
2019005522.tif 000007
【図６】
2019005522.tif 000008